(57)【要約】【課題】暖房運転開始時、デフロスト復帰時、及びサーモオフ時の冷風感をなくすことができ、デフロスト運転時間を短縮できる空気調和装置を提供すること。【解決手段】室内ユニット１と、室外ユニットと、を備え、室内ユニット１は、室内と連通した吸込口４から室内空気を吸込む送風機３と、吸込んだ空気を熱交換する室内熱交換器２と、吸込口４とは別の位置に形成され室内と連通した室内吹出口５ａに設けられ、室内吹出口５ａの開閉を行う室内吹出用ベーン５と、室内以外と連通した室内以外吹出口６ａに設けられ、室内以外吹出口６ａの開閉を行う室内以外吹出口開閉手段と、を有するものである。【選択図】図１
2014219131.tif 000002
【特許請求の範囲】
【請求項１】
室内ユニットと、
室外ユニットと、を備え、
前記室内ユニットは、
室内と連通した吸込口から室内空気を吸込む送風機と、
吸込んだ空気を熱交換する室内熱交換器と、
前記吸込口とは別の位置に形成され室内と連通した室内吹出口に設けられ、前記室内吹出口の開閉を行う室内吹出用ベーンと、
室内以外と連通した室内以外吹出口に設けられ、前記室内以外吹出口の開閉を行う室内以外吹出口開閉手段と、を有する
ことを特徴とする空気調和装置。
【請求項２】
前記室内以外吹出口開閉手段は、ベーンである
ことを特徴とする請求項１に記載の空気調和装置。
【請求項３】
前記室内以外吹出口開閉手段は、ダンパーである
ことを特徴とする請求項１に記載の空気調和装置。
【請求項４】
前記室内熱交換器の温度に応じて、
前記室内吹出用ベーンと、前記室内以外吹出口開閉手段との開閉を行う
ことを特徴とする請求項１〜３のいずれか一項に記載の空気調和装置。
【請求項５】
暖房運転開始時において、
前記室内熱交換器の温度が予め設定した温度未満の間は、
前記送風機を微風運転させ、
前記室内吹出口を全閉し、前記室内以外吹出口を開き、
前記室内熱交換器の温度が予め設定した温度以上になったら、
前記送風機を通常運転させ、
前記室内以外吹出口を全閉し、前記室内吹出口を開く
ことを特徴とする請求項１〜４のいずれか一項に記載の空気調和装置。
【請求項６】
サーモオフ時において、
前記送風機を微風運転させ、
前記室内吹出口を全閉し、前記室内以外吹出口を開く
ことを特徴とする請求項１〜４のいずれか一項に記載の空気調和装置。
【請求項７】
サーモオン時において、
前記室内熱交換器の温度が予め設定した温度以上になったら、
前記送風機を通常運転させ、
前記室内以外吹出口を全閉し、前記室内吹出口を開く
ことを特徴とする請求項１〜４のいずれか一項に記載の空気調和装置。
【請求項８】
デフロスト運転時において、
前記室外ユニットからデフロスト信号を受信したら、
前記送風機を運転停止させずに
前記室内吹出口を全閉し、前記室内以外吹出口を開く
ことを特徴とする請求項１〜４のいずれか一項に記載の空気調和装置。
【発明の詳細な説明】
【技術分野】
【０００１】
本発明は、室内ユニットを改良した空気調和装置に関するものである。
【背景技術】
【０００２】
被調和空間の空調に使用される空気調和装置は、室内熱交換器と送風機とを有する室内ユニット及び室外ユニットから構成される。
また、空気調和装置の室内ユニットにはカセット式があり、室内ユニットを天井などに埋め込み、室内ユニット下面に形成された吹出口から（温調）空気を室内へと送風する。
【０００３】
そして、暖房運転開始時及びデフロスト復帰時には、室内熱交換器が温まるまで微風で室内へと送風する。また、サーモオフ時には、室温検知のため送風機を微風運転させる。
また、デフロスト運転時には、冷房サイクルになるため、冷風感を抑えるために室内ユニットの送風機を停止する（例えば、特許文献１参照）。
【先行技術文献】
【特許文献】
【０００４】
【特許文献１】特開２０１３−０７９７８５号公報
【発明の概要】
【発明が解決しようとする課題】
【０００５】
上記この種の空気調和装置において、暖房運転開始時、デフロスト復帰時、及びサーモオフ時には微風で送風運転を行っていたが、室内に冷風が吹出すため冷風感があるという課題があった。また、デフロスト運転時には、送風機を停止していたため、室内に冷風が吹出さず冷風感はないが、室内熱交換器に空気が届きづらく熱交換効率が下がるため、デフロスト能力が低下する。その結果、デフロスト運転時間が長くなってしまい、暖房能力を低下させるという課題があった。
【０００６】
本発明は、以上のような課題を解決するためになされたもので、暖房運転開始時、デフロスト復帰時、及びサーモオフ時の冷風感をなくすことができ、デフロスト運転時間を短縮できる空気調和装置を提供することを目的としている。
【課題を解決するための手段】
【０００７】
本発明に係る空気調和装置は室内ユニットと、室外ユニットと、を備え、前記室内ユニットは、室内と連通した吸込口から室内空気を吸込む送風機と、吸込んだ空気を熱交換する室内熱交換器と、前記吸込口とは別の位置に形成され室内と連通した室内吹出口に設けられ、前記室内吹出口の開閉を行う室内吹出用ベーンと、室内以外と連通した室内以外吹出口に設けられ、前記室内以外吹出口の開閉を行う室内以外吹出口開閉手段と、を有するものである。
【発明の効果】
【０００８】
本発明に係る空気調和装置によれば、暖房運転開始時及びデフロスト復帰時には、室内熱交換器が温まっていなくても室内に冷風を吹出さないため冷風感をなくすことができ、デフロスト運転時には室内熱交換器に空気が送り出されるため、デフロスト運転時間を短縮できる。
【図面の簡単な説明】
【０００９】
【図１】本発明の実施の形態に係る空気調和装置の室内ユニットの構成図である。
【図２】本発明の実施の形態に係る空気調和装置の室内ユニットに搭載された室内熱交換器の構成図である。
【図３】本発明の実施の形態に係る空気調和装置の室内ユニットにおける風の流れを示す第１図である。
【図４】本発明の実施の形態に係る空気調和装置の室内ユニットにおける風の流れを示す第２図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
実施の形態．
図１は、本発明の実施の形態に係る空気調和装置の室内ユニット１の構成図である。
本実施の形態に係る空気調和装置の室内ユニット１はカセット式であり、例えば天井１０に埋め込み、室内ユニット１の下面に形成され、室内と連通した吸込口４から空気を吸込み、吸込口４とは別の位置の室内ユニット１の下面に形成され、室内と連通した室内吹出口５ａから室内へ、または側面に形成され、室内以外の天井裏と連通した室内以外吹出口６ａから天井裏へ空気が吹出す構造となっている。また、本実施の形態に係る空気調和装置は、暖房運転とデフロスト（冷房）運転の切り換えが可能となっており、サーモオン機能及びサーモオフ機能を備えている。
【００１１】
室内ユニット１は、室内から空気を吸込むための吸込口４から室内の空気を吸込む送風機３、吸込んだ空気を熱交換する室内熱交換器２、熱交換した空気を室内へ吹出すための室内吹出口５ａに設けられ、開閉して吹出方向を変える室内吹出用ベーン５、熱交換した空気を室内以外の天井裏へ吹出すための室内以外吹出口６ａに設けられ、開閉して吹出方向を変える室内以外吹出用ベーン（室内以外吹出口開閉手段）６、で構成されている。
なお、室内吹出用ベーン５は全閉すると室内吹出口５ａを、室内以外吹出用ベーン６は全閉すると室内以外吹出口６ａを、それぞれ塞ぐように設けられており、室内ユニット１から風が吹出さないようになっている。
【００１２】
図２は、本発明の実施の形態に係る空気調和装置の室内ユニット１に搭載された室内熱交換器２の構成図である。
室内熱交換器２は、液冷媒が流れる液管２１、冷媒量を制御するための膨張弁２２、熱交換器コア２３、ガス冷媒が流れるガス管２４、室内熱交換器２の温度を検知する、液管２１に設けられた液管温度センサー２５、で構成されている。なお、室内熱交換器２の温度検知手段として、温度センサーを熱交換器コア２３に直接設けてもよい。
【００１３】
図３は、本発明の実施の形態に係る空気調和装置の室内ユニット１における風の流れを示す第１図、図４は、本発明の実施の形態に係る空気調和装置の室内ユニット１における風の流れを示す第２図である。
次に、本発明の実施の形態に係る空気調和装置の室内ユニット１の動作について説明する。
なお、本実施の形態では、暖房運転時においてハイカットしない範囲で冷風を感じにくい温度が３５℃である場合について説明する。
暖房運転開始時には、液管温度センサー２５で検知した温度が３５℃未満の間、送風機３を微風運転（通常運転より風量が弱い運転）させ、図３に示すように室内吹出用ベーン５を全閉し、通常運転時には全閉している室内以外吹出用ベーン６を開いて、図３の矢印で示すような流れで冷風を天井裏へ吹出す。そして、液管温度センサー２５で検知した温度が３５℃以上になったら、送風機３を微風運転ではなく通常運転させ、図４に示すように室内以外吹出用ベーン６を全閉し、室内吹出用ベーン５を開いて、図４の矢印で示すような流れで温風を室内へ吹出す。
【００１４】
サーモオフ時には、室温検知のため送風機３を微風運転させる必要がある。このときも、室内吹出用ベーン５を全閉し、室内以外吹出用ベーン６を開いて、図３の矢印で示すような流れで冷風を天井裏へ吹出すことで、室内の人に冷風感を与えることなく室温検知できる。
【００１５】
サーモオン時には、液管温度センサー２５で温度を検知し、３５℃以上になったら送風機３を微風運転でなく通常運転させ、図４に示すように室内以外吹出用ベーン６を全閉し、室内吹出用ベーン５を開いて、図４の矢印で示すような流れで温風を室内へ吹出す。
【００１６】
デフロスト運転時には、図示省略の室外ユニットから室内ユニット１がデフロスト信号を受信したら、図３に示すように室内吹出用ベーン５を全閉し、室内以外吹出用ベーン６を開いて、冷凍サイクルではあるが送風機３を停止させずに運転させ続ける。そうすることで、室内熱交換器２に空気を送り、熱交換させながら室内に冷風を吹出すことなくデフロスト運転が可能となる。
そして、熱交換効率が下がらず、デフロスト能力が低下しないため、デフロスト運転を短時間で終了でき、かつ、室外熱交換器に付着した霜を確実に溶かすことができ、暖房能力の向上とデフロスト不良を防止できる。
【００１７】
デフロスト復帰時には、暖房運転開始時と同様である。
【００１８】
以上のように、室内以外吹出用ベーン６を、通常運転時には全閉し、暖房運転開始時、サーモオフ時、デフロスト運転時、及びデフロスト復帰時に開いて、天井裏へ冷風が吹出すようにする。このとき、室内吹出用ベーン５を全閉し、室内へ冷風が吹出さないようにする。こうすることで、冷風感をなくすことができる。また、送風機３を停止させずに運転させ続け、室内熱交換器２に空気を送り、熱交換させながら室内に冷風を吹出すことなくデフロスト運転することで、デフロスト運転時間を短縮できる。
【００１９】
なお、本実施の形態では、室内以外吹出口６ａに室内以外吹出用ベーン６を設け、それを開閉して天井裏へ冷風が吹出すようにしたが、室内以外吹出用ベーン６の代わりにダンパー（室内以外吹出口開閉手段）を設けてもよい。
【符号の説明】
【００２０】
１  室内ユニット、２  室内熱交換器、３  送風機、４  吸込口、５  室内吹出用ベーン、５ａ  室内吹出口、６  室内以外吹出用ベーン（室内以外吹出口開閉手段）、６ａ  室内以外吹出口、１０  天井、２１  液管、２２  膨張弁、２３  熱交換器コア、２４  ガス管、２５  液管温度センサー。
【図１】
2014219131.tif 000003
【図２】
2014219131.tif 000004
【図３】
2014219131.tif 000005
【図４】
2014219131.tif 000006